【事件の表示】
　特許第３３５６４２２号「インターネット応募によるクローズド懸賞を行う方法及び記録媒体」の請求項１ないし６に係る特許に対する特許異議の申立てについて、次のとおり決定する。
【結　論】
　訂正を認める。
　特許第３３５６４２２号の請求項１ないし５に係る発明の特許を維持する。
　特許異議申立人水野由起子による特許異議の申立てを却下する。 
　特許異議申立人河野珠希による請求項６に係る発明の特許についての特許異議の申立てを却下する。
【理　由】
　
第１　手続の経緯 
　
　特許第３３５６４２２号の請求項１〜６に係る発明についての出願（特願２０００−１３９８９１号）は、平成１２年５月１２日の出願であって、平成１４年１０月４日にその特許の設定登録がなされ、その後、特許異議申立人水野由起子、特許異議申立人河野珠希より特許異議の申立てがなされ、取消理由通知がなされ、その指定期間内である平成１７年８月９日に訂正請求（後日取り下げ）がなされた後、再度取消理由通知がなされ、その指定期間内である平成１７年１０月１２日に訂正請求がなされたものである。 
　 
第２　訂正の適否についての判断 
　
１　訂正の内容 
　
　特許権者が求めている訂正の内容は、特許時の特許請求の範囲である
「【請求項１】　インターネット応募によるクローズド懸賞を行う方法であって、
　通信端末により、主催者側のインターネットのホームページ上の応募フォームに応募条件を登録する工程と、
　前記登録による応募が受付けられると、前記通信端末が有する同一のＩＰアドレスからの応募が一定の値を越えないものを誘導する機能により、前記応募が一定の値を越えないものを誘導し、確認用のコードナンバーとのマッチングを行う機能により、前記応募条件に含まれる応募コードナンバーと応募コードナンバデータベースの前記確認用のコードナンバーとのマッチングを行う工程と、
　応募集計データベースに前記応募フォーム内の情報を登録する機能により、前記マッチングによる問題が無ければ前記応募フォーム内の応募者の情報を前記応募集計データベースに登録する工程と、
　前記通信端末が有する同一のＩＰアドレスからの応募が一定の値を越えるものを誘導する機能により、前記応募が一定の値を越えるものを誘導する工程と、
　前記応募が一定の値を越えるものをイレギュラー用データベースに登録する機能により、前記応募フォーム内の応募者の情報を前記イレギュラー用データベースに登録する工程と、
　当選者を決定するための機能により、前記応募集計データベースに登録されている前記応募者の情報から当選者を決定するための抽選処理を行う工程と
　を備えることを特徴とするインターネット応募によるクローズド懸賞を行う方法。
【請求項２】　前記応募フォームに登録される情報は、商品に付けられている前記応募コードナンバーと、前記応募者の郵便番号、住所、氏名、電話番号、年齢、生年月日、性別、職業、Ｅ−Ｍａｉｌアドレスとであり、
　前記応募フォーム内の前記応募者の情報が前記応募集計データベースに登録された後、情報の重複処理を行う機能により前記応募者の情報の重複処理を行う工程と、
　前記抽選処理が行われた後、発送処理を行う機能により前記当選者の情報を前記応募フォームに登録されている前記応募者の情報を用いて発送処理を行う工程とが含まれる
　ことを特徴とする請求項１に記載のインターネット応募によるクローズド懸賞を行う方法。
【請求項３】　前記応募コードナンバーは、任意の数字とアルファベットとを組み合せた任意のケタとされていることを特徴とする請求項１又は２に記載のインターネット応募によるクローズド懸賞を行う方法。
【請求項４】　前記応募コードナンバーは、前記確認用のコードナンバーとのマッチングにより一致した場合、前記応募コードナンバーが使用済みとされることを特徴とする請求項１〜３の何れかに記載のインターネット応募によるクローズド懸賞を行う方法。
【請求項５】　前記応募集計データベースに登録される前記応募者の情報は、ＳＱナンバー又はユーザーＩＤによって管理されていることを特徴とする請求項１〜４の何れかに記載のインターネット応募によるクローズド懸賞を行う方法。
【請求項６】　インターネット応募によるクローズド懸賞を行う方法を実行するためのプログラムが記録されていることを特徴とする記録媒体。」
を、 
「【請求項１】　インターネット応募によるクローズド懸賞を行う方法であって、
　通信端末
が
　前記登録による応募
を
ると
分／秒あたり
い、前記マッチングによる問題があれば前記応募コードナンバーの再入力を促すメッセージを前記通信端末に表示させる
　
サーバー上の
、
　前記通信端末が有する同一のＩＰアドレスからの応募が一定の値を越えるものを誘導する機能により、前記応募が
分／秒あたり
　前記応募が
分／秒あたり
　当選者を決定するための機能により、前記応募集計データベースに登録されている前記応募者の情報から当選者を決定するための抽選処理を行う工程とを備える
　ことを特徴とするインターネット応募によるクローズド懸賞を行う方法。
【請求項２】　前記応募フォームに登録される情報は、商品に付けられている前記応募コードナンバーと、前記応募者の郵便番号、住所、氏名、電話番号、年齢、生年月日、性別、職業、Ｅ−Ｍａｉｌアドレスとであり、
　前記応募フォーム内の前記応募者の情報が前記応募集計データベースに登録された後、情報の重複処理を行う機能により前記応募者の情報の重複処理を行う工程と、
　前記抽選処理が行われた後、発送処理を行う機能により前記当選者の情報を前記
応募集計データベース
配達伝票に出力する
　ことを特徴とする請求項１に記載のインターネット応募によるクローズド懸賞を行う方法。
【請求項３】　前記応募コードナンバーは、任意の数字とアルファベットとを組み合せた任意のケタとされていることを特徴とする請求項１又は２に記載のインターネット応募によるクローズド懸賞を行う方法。
【請求項４】　前記応募コードナンバーは、前記確認用のコードナンバーとのマッチングにより一致した場合、
対応する応募コードナンバデータベース中の確認用のコードナンバーのチェック欄に印を付け、
【請求項５】　前記応募集計データベースに登録される前記応募者の情報は、ＳＱナンバー又はユーザーＩＤによって管理されていることを特徴とする請求項１〜４の何れかに記載のインターネット応募によるクローズド懸賞を行う方法。」
と訂正（訂正箇所に下線を付した。）するとともに、これに整合させるべく、発明の名称及び発明の詳細な説明の対応箇所の記載を訂正するものである。 
　 
２　訂正の目的の適否、新規事項の有無及び拡張・変更の存否 
　
　上記訂正は、特許時の請求項６を削除し、特許時の請求項１〜５について特許請求の範囲を減縮するとともに、明りょうでない記載の釈明をするものである。 
　また、上記訂正は、新規事項の追加に該当せず、実質上特許請求の範囲を拡張し、又は変更するものではない。 
　 
３　むすび 
　
　以上のとおりであるから、上記訂正は、特許法第１２０条の４第２項及び同条第３項で準用する同法第１２６条第２項及び第３項の規定に適合するので、当該訂正を認める。 
　
第３　特許異議申立てについての判断 
　
１　申立ての理由の概要 
　
１−１　特許異議申立人水野由起子による特許異議申立て
　
　特許異議申立人水野由起子は、請求項６に係る発明の特許が特許法第２９条第１項柱書きの規定に違反してなされたものであり、また、甲第１号証（特開平１１−６６１５２号公報）を提出し、請求項６に係る発明の特許が特許法第２９条第２項の規定に違反してなされたものであるから、請求項６に係る発明の特許を取り消すべき旨主張している。
　
１−２　特許異議申立人河野珠希による特許異議申立て
　
　特許異議申立人河野珠希は、甲第１〜６号証（後述）を提出し、請求項１〜５に係る発明の特許が特許法第２９条第２項の規定に違反してなされたものであり、また、請求項６に係る発明の特許が特許法第２９条第１項第３号の規定に違反してなされたものであるから、請求項１〜５及び６に係る発明の特許を取り消すべき旨主張している。
　
２　特許異議申立人水野由起子の特許異議の申立てについて
　
　特許異議申立人水野由起子が取り消しを求めた請求項６に係る発明の特許は、上記した「第２　訂正の適否についての判断」において示したように、訂正により存在しないものとなった。
　してみると、特許異議申立人水野由起子による特許異議の申立ては、不適法な申立てであって、その補正をすることができないものであるので、特許法第１２０条の６第１項で準用する第１３５条の規定によって却下すべきものである。
　
３　特許異議申立人河野珠希による特許異議申立てについて
　
３−１　特許法第２９条第２項違反について
　
　特許異議申立人河野珠希は、請求項１〜５に係る発明が甲第１〜６号証の刊行物に記載された発明に基づいて、当業者が容易に発明し得たものであるとして、請求項１〜５に係る発明の特許の取り消しを求めているので検討する。
　
３−２　本件発明 
　
　本件特許第３３５６４２２号の請求項１〜５に係る発明（以下「本件発明１」〜「本件発明５」という。）は，訂正明細書の特許請求の範囲の請求項１〜５に記載された事項により特定されるとおりのものである（上記「第２，１」参照）。
　
３−３　刊行物に記載された発明
　
(1)　特許異議申立人が提出した甲第１〜６号証は、次のとおりである。 
　甲第１号証：特開平１１−２５９５７１号公報（以下「刊行物１」という。） 
　甲第２号証：特開平１１−６６１５２号公報（以下「刊行物２」という。） 
　甲第３号証：特開平１−１９６６５５号公報（以下「刊行物３」という。）
　甲第４号証：特開平３−１９２４５８号公報（以下「刊行物４」という。） 
　甲第５号証：城井田勝仁著「当たる！ネット懸賞の法則」株式会社オーム社，平成１２年３月２３日第１版第１刷発行，第８〜９頁、第３３頁、第７５〜７６頁（以下「刊行物５」という。） 
　甲第６号証：「販促会議スペシャル　販売促進のための実用書」株式会社宣伝会議，平成９年１１月５日発行，第５５〜５６頁（以下「刊行物６」という。） 
(2)　刊行物１には、インターネットを用いた電子商取引システムにおいて、正規ユーザの通常の行動を監視して、不正ユーザによる不正利用を検出することが記載されている。
(3)　刊行物２には、インターネット応募によるクローズド懸賞を行うシステムが記載されている。
(4)　刊行物３には、同一ログイン名による異常な回数のログイン試行を不正なアクセスとして検出することが記載されている。
(5)　刊行物４には、未登録のユーザＩＤによるアクセスが一定の値を超えるものを不正なアクセスとして検出することが記載されている。
(6)　刊行物５には、インターネット応募によるクローズド懸賞を行うこと、応募者の性別、年齢、職業、名前、メールアドレスを入力する応募フォーム、及び、インターネット懸賞では重複応募が排除されることが記載されている。
(7)　刊行物６には、インターネット応募による販促キャンペーンに用いられる、購買証明となる商品のシリアルナンバーと、応募者の郵便番号、住所、名前、電話番号、職業、Ｅ−ｍａｉｌアドレスとを入力する応募フォームが記載されている。 
　
３−４　対比・判断 
　
(1)　本件発明１について 
　本件発明１と刊行物１〜刊行物６に記載された発明とを対比すると、刊行物１〜刊行物６に記載された発明のいずれも、本件発明１の
「前記登録による応募を受付けると、前記通信端末が有する同一のＩＰアドレスからの応募が一定の値を越えないものを誘導する機能により、前記応募が分／秒あたり一定の値を越えないものを誘導し、確認用のコードナンバーとのマッチングを行う機能により、前記応募条件に含まれる応募コードナンバーと応募コードナンバデータベースの前記確認用のコードナンバーとのマッチングを行い、前記マッチングによる問題があれば前記応募コードナンバーの再入力を促すメッセージを前記通信端末に表示させる工程と、
　サーバー上の応募集計データベースに前記応募フォーム内の情報を登録する機能により、前記マッチングによる問題が無ければ前記応募フォーム内の応募者の情報を、前記応募集計データベースに登録する工程と、
　前記通信端末が有する同一のＩＰアドレスからの応募が一定の値を越えるものを誘導する機能により、前記応募が分／秒あたり一定の値を越えるものを誘導する工程と、
　前記応募が分／秒あたり一定の値を越えるものをイレギュラー用データベースに登録する機能により、前記応募フォーム内の応募者の情報を前記イレギュラー用データベースに登録する工程」
を具備しておらず、刊行物１〜６には、これを示唆する記載もない。
　本件発明１は、上記構成を具備することにより、「インターネット応募によるクローズド懸賞において必要とされる懸賞応募を受け付ける際の購買証明である応募コードナンバーのハッカー等による偽造を防止する」という異議意見書記載の顕著な作用効果を奏するものと認められる。 
　してみると、本件発明１は、刊行物１〜刊行物６に記載された発明に基づいて、当業者が容易に発明をすることができたものとすることができない。 
(2)　本件発明２〜５について 
　本件発明２〜５は、本件発明１の構成特定事項を全て含み、更に他の構成特定事項を付加したものに相当するから、上記(1)で述べたと同様の理由により、刊行物１〜刊行物６に記載された発明に基づいて、当業者が容易に発明をすることができたものとすることができない。 
　
３−５　特許法第２９条第１項第３号違反について
　
　特許異議申立人河野珠希は、請求項６に係る発明が甲第５号証の刊行物に記載された発明と同一であるとして請求項６に係る発明の特許の取り消しを求めているが、上記した「第２　訂正の適否についての判断」において示したように、請求項６に係る発明の特許は訂正により存在しないものとなった。
　してみると、特許異議申立人河野珠希による請求項６に係る発明の特許についての特許異議の申立ては、不適法な申立てであって、その補正をすることができないものであるので、特許法第１２０条の６第１項で準用する第１３５条の規定によって却下すべきものである。
　
４　むすび
　
　以上のとおりであるから、請求項１〜５に係る発明の特許は、特許異議申立ての理由及び証拠によっては取り消すことはできない。 
　また、他に請求項１〜５に係る発明の特許を取り消すべき理由を発見しない。 
　また、特許異議申立人水野由起子による特許異議の申立て及び特許異議申立人河野珠希による請求項６に係る発明の特許についての特許異議の申立ては、不適法な申立てであって、その補正をすることができないものであるので、特許法第１２０条の６第１項で準用する第１３５条の規定によって却下すべきものである。
　よって、結論のとおり決定する。 
【異議決定日】
平成１７年１１月８日（２００５．１１．８）
【訂正の要旨】
審決（決定）の【理由】欄参照。
（５４）【発明の名称】
インターネット応募によるクローズド懸賞を行う方法
（５７）【特許請求の範囲】
　【請求項１】インターネット応募によるクローズド懸賞を行う方法であって、
　通信端末
が
　前記登録による応募
を
ると、
分／秒あたり
い、前記マッチングによる問題があれば前記応募コードナンバーの再入力を促すメッセージを前記通信端末に表示させる工程と、
　
サーバー上の
　前記通信端末が有する同一のＩＰアドレスからの応募が一定の値を越えるものを誘導する機能により、前記応募が
分／秒あたり
　前記応募が
分／秒あたり
　当選者を決定するための機能により、前記応募集計データベースに登録されている前記応募者の情報から当選者を決定するための抽選処理を行う工程とを備える
　ことを特徴とするインターネット応募によるクローズド懸賞を行う方法。
　【請求項２】前記応募フォームに登録される情報は、商品に付けられている前記応募コードナンバーと、前記応募者の郵便番号、住所、氏名、電話番号、年齢、生年月日、性別、職業、Ｅ−Ｍａｉｌアドレスとであり、
　前記応募フォーム内の前記応募者の情報が前記応募集計データベースに登録された後、情報の重複処理を行う機能により前記応募者の情報の重複処理を行う工程と、
　前記抽選処理が行われた後、発送処理を行う機能により前記当選者の情報を前記
応募集計データベース
配達伝票に出力する
　ことを特徴とする請求項１に記載のインターネット応募によるクローズド懸賞を行う方法。
　【請求項３】前記応募コードナンバーは、任意の数字とアルファベットとを組み合せた任意のケタとされていることを特徴とする請求項１又は２に記載のインターネット応募によるクローズド懸賞を行う方法。
　【請求項４】前記応募コードナンバーは、前記確認用のコードナンバーとのマッチングにより一致した場合、対応する
応募コードナンバデータベース中の確認用のコードナンバーのチェック欄に印を付け、
　【請求項５】前記応募集計データベースに登録される前記応募者の情報は、ＳＱナンバー又はユーザーＩＤによって管理されていることを特徴とする請求項１〜４の何れかに記載のインターネット応募によるクローズド懸賞を行う方法。
【発明の詳細な説明】
　【０００１】
　【発明の属する技術分野】
　本発明は、従来のハガキに購買証明を貼付ける応募方法ではなく、購買証明をコードナンバー化して電子情報化することにより、インターネット上での受付けを可能とする
インターネット応募によるクローズド懸賞を行う方法
　【０００２】
　【従来の技術】
　従来より、主催者側の応募に対し、応募者は購買証明等をハガキに貼付けている。
　【０００３】
　【発明が解決しようとする課題】
　ところが、従来の応募方法では、応募者からハガキでの応募を受付けるようにしているため、ハガキの内容の入力作業やハガキの仕分け作業が必要となり、これらの作業コストが嵩んでしまうという不具合がある。
　【０００４】
　また、応募者からのハガキに記載されている個人情報は、たとえばダイレクトメール等に大いに役立つものであるが、ハガキでの応募を受付けるようにすると、個人情報の収集に限度が生じてしまうという不具合もある。
　【０００５】
　また、応募者にとってはハガキに所定事項を記入した後、投函するということが強いられるため、応募が煩わしいという不具合もある。
　【０００６】
　本発明は、このような状況に鑑みてなされたものであり、ハガキの内容の入力作業やハガキの仕分け作業に伴う作業コストの大幅な削減を行うことができ、しかも個人情報を大量に収集することができ、さらには応募を極めて容易に行うことができる
インターネット応募によるクローズド懸賞を行う方法
　【０００７】
　【課題を解決するための手段】
　請求項１に記載のインターネット応募によるクローズド懸賞を行う方法は、インターネット応募によるクローズド懸賞を行う方法であって、通信端末
が
を
ると、
分／秒あたり
い、前記マッチングによる問題があれば前記応募コードナンバーの再入力を促すメッセージを前記通信端末に表示させる工程と、サーバー上の
分／秒あたり
分／秒あたり
　また、前記応募フォームに登録される情報は、商品に付けられている前記応募コードナンバーと、前記応募者の郵便番号、住所、氏名、電話番号、年齢、生年月日、性別、職業、Ｅ−Ｍａｉｌアドレスとであり、前記応募フォーム内の前記応募者の情報が前記応募集計データベースに登録された後、情報の重複処理を行う機能により前記応募者の情報の重複処理を行う工程と、前記抽選処理が行われた後、発送処理を行う機能により前記当選者の情報を前記
応募集計データベース
配達伝票に出力する
　また、前記応募コードナンバーは、任意の数字とアルファベットとを組み合せた任意のケタとされているようにすることができる。
　また、前記応募コードナンバーは、前記確認用のコードナンバーとのマッチングにより一致した場合、対応する
応募コードナンバデータベース中の確認用のコードナンバーのチェック欄に印を付け、
　また、前記応募集計データベースに登録される前記応募者の情報は、ＳＱナンバー又はユーザーＩＤによって管理されているようにすることができる。
　本発明に係る
インターネット応募によるクローズド懸賞を行う方法
　【０００８】
　【発明の実施の形態】
　以下、本発明の実施の形態について説明する。
　【０００９】
（第１の実施の形態）
　図１は、本発明のインターネット応募によるクローズド懸賞を行う方法の第１の実施の形態に係るクローズド懸賞システムの概要を説明するための図、図２は、図１のクローズド懸賞システムにおける各種データベースを説明するための図、図３は、図１のクローズド懸賞システムにおけるインターネット応募によるクローズド懸賞を行う方法を説明するためのフローチャート、図４は、図１のクローズド懸賞システムにおける応募コードナンバーを説明するための図、図５は、図１のクローズド懸賞システムにおける応募条件〜応募受付までの作業フローを説明するための図、図６は、図１のクローズド懸賞システムにおけるＷｅｂ上のクローズド懸賞を行うに当たっての懸念事項について説明するための図、図７は、図１のクローズド懸賞システムにおけるＷｅｂ上のクローズド懸賞を行うに当たっての懸念事項に対する対処法について説明するための図である。
　【００１０】
　図１に示すクローズド懸賞システムは、応募者１０が通信端末１１を用いるとともに、インターネットを介して主催者２０が提供する応募に参加することができるようになっている。
　【００１１】
　通信端末１１としては、たとえば携帯電話、固定電話、パソコン、ＰＤＰ（個人情報端末）、通信機能を有したゲーム機器、インターネットテレビ（ＷｅｂＴＶ）等を用いることができる。
　【００１２】
　主催者２０は、応募者１０からの応募を受付け、当選者に商品を発送したりするものであり、応募コードナンバーデータベース２１、応募集計データベース２２、イレギュラー用データベース２３を備えている。
　【００１３】
　応募コードナンバーデータベース２１は、コードナンバーを管理するデータベースであり、たとえば図２（ａ）に示すように、コードナンバーとチェックの２項目で構成されている。また、使用されたコードナンバーには使用済みの印が付けられるようになっている。
　【００１４】
　応募集計データベース２２は、応募者データを集計するためのデータベースであり、条件を満たし応募登録を許可されたデータはこのデータベースに集積されるようになっている。応募集計データベース２２の内容としては、たとえば図２（ｂ）に示すように、ＳＱナンバー、郵便番号、住所、氏名、電話番号、年齢、生年月日、性別、職業、Ｅ−Ｍａｉｌアドレスとなっている。
　【００１５】
　イレギュラー用データベース２３は、クラッカーからの被害を防ぐためのデータベースであり、たとえば図２（ｃ）に示すように、クラッカーの不正アクセスから応募集計データベースを守るためのデータベースとなっている。
　【００１６】
　次に、このような構成のクローズド懸賞システムにおけるインターネット応募によるクローズド懸賞を行う方法について説明する。
　【００１７】
　なお、以下に説明する応募方法では、たとえば対象商品についている「応募ナンバー」を１件１ポイントとし、主催者２０が提供するホームページアドレスで応募ナンバーの登録を行うとともに、１０ポイントを１口として応募できるようになっている。
　【００１８】
　そして、まず図３に示すように、応募者１０は、（１）商品購入を行う（ステップ３０１）。このとき、商品についているスクラッチを削ると応募コードナンバーが出現する。次いで、応募者１０は、（２）応募登録を行う（ステップ３０２）。この場合、インターネットのホームページ上で、通信端末１１から、住所・氏名・電話番号・ｅ−ｍａｉｌアドレス・応募コードナンバーなどの応募条件を登録する。
　【００１９】
　このとき、主催者２０は、（３）集計を行う（ステップ３０３）。すなわち、主催者２０は、応募者１０からのインターネット上の入力フォームに登録された情報をそのままサーバー上の応募集計データベース２２へ移していく。
　【００２０】
　また、主催者２０は、（４）重複処理〜抽出を行う（ステップ３０４）。すなわち、応募集計データベース２２上で重複処理を行った後、コンピューター抽選作業で当選者を決定する。さらに、主催者２０は、（５）発送を行う（ステップ３０５）。すなわち、（４）で抽出した当選者に対し、（２）で得た情報を配達伝票に出力し、発送を行う。
　【００２１】
　ここで、（ステップ３０１）における応募コードナンバーについて説明する。
　【００２２】
　すなわち、応募コードナンバーは、たとえば図４に示すＪＤ２８Ｍ３Ｐ，ＳＬ４７ＨＦ８・・・のように、任意のアルファベットと数字（例．「０〜９の数字１０文字」と「アルファベット２０文字」の計３０文字）を組み合せた何ケタかのコードナンバーである。
　【００２３】
　これは、連続したもしくは規則性のあるコードナンバーでは、ナンバーを解読され不正応募を招いてしまうおそれがあるためである。このようなコードナンバーの文字の組合せ数とケタ数とは、必要となる応募コード数により変更することができる。
　【００２４】
　ちなみに、３０文字４ケタでは８１万通り、３０文字５ケタでは２，４３０万通り、３０文字６ケタでは７億２，９００万通り、３０文字７ケタでは２１８億７，０００万通り、３０文字８ケタでは６，５６１億０，０００万通りとすることができる。
　【００２５】
　ここで、アルファベットの大文字・小文字の区別は行わないようにする。また、「１とＩ」、「０とＯ」といった文字は判別・入力ミスを招くので、コードナンバーとしての使用を避けるようにすることが好ましい。
　【００２６】
　また、このような応募コードナンバーは、応募者１０の購買を証明するものである。応募コードナンバーは、応募登録時に応募に必要なポイント数のコードナンバーが間違いなく入力された時点でその役割を終える。つまり、応募者１０のプロフィールとひも付けされる要素や応募管理のためのシークェンス（ＳＱ）ナンバーではないことを意味する。
　【００２７】
　またここで、（ステップ３０２〜３０４）における応募条件入力〜応募受付までの作業フローを、図５を用いて説明する。
　【００２８】
　まず、応募条件の入力として、ホームページ・通信端末１１上の応募入力フォーム上から応募条件であるコードナンバーと応募者プロフィールとを入力する。コードナンバーは、応募コードナンバーデータベース２１に登録されているものと照合され、コードナンバーの真正の検証が行われる。問題がなければ、入力されたコードナンバーのチェック欄に印を付ける。
　【００２９】
　コードナンバーのマッチングで条件を満たした応募プロフィールは、シークェンス（ＳＱ）ナンバーが割り振られ、応募集計データベース２２に登録される。
　【００３０】
　また、抽選は、コンピューター抽選の要領で行われる。なお、正しいコードナンバーが入力されなかったり、入力されたコードナンバーが既に使用済みであったりする場合、通信端末１１のディスプレイには、「誤ったコードナンバーが入力されておりますので、コードナンバーの再入力をお願いいたします。」とした内容が表示される。
　【００３１】
　ここで、入力されたコードナンバーの内、どのコードナンバーが誤っているかを特定して応募者１０に伝えることも可能ではあるが、セキュリティーの問題上推奨できない。
　【００３２】
　また、応募者１０が連続して応募登録を行う際に、何度も応募者プロフィールを入力しないですむように、連続応募ボタンを設け、コードナンバーのみを入力し直すだけで応募できるようにすることもできる。
　【００３３】
　次に、Ｗｅｂ上のクローズド懸賞を行うに当たっての懸念事項について説明する。
　【００３４】
　まず、懸念事項（１）：偶然のマッチングについて（適当に応募ナンバーを入力して応募できる可能性）考察する。たとえば、応募コードナンバーが７ケタの英数文字で成り立っているとすると、図６（ａ）に示すように、応募コードナンバーを構成する要素は、０〜９までの数字とアルファベット２０文字から選ばれる。
　【００３５】
　この場合、応募コードナンバーの文字列組合せは、３０７＝２１８億７０００万通りとなる。この内、１，０００万件をコードナンバーとして割り当てるとすると、正規の応募コードである確率は、１，０００万÷２１８億７０００万＝０．０４５７２％となる。
　【００３６】
　さらに、応募には、このコードが１０件必要だとすると、応募できる可能性は、（０．０４５７２Ｅ−０２）１０＝３．９９４９６Ｅ−３２％となる。よって、この条件下のもと偶然の一致で応募することは、有り得ないと考えられる。
　【００３７】
　次に、懸念事項（２）：クラッカー（ハッカー）による不法アクセス（クラッキング）について考察する。まず、応募コードナンバー作成プロセスは、たとえば図６（ｂ）に示すように、０〜９までの数字とアルファベット２０文字を用い、コードナンバー生成ルーティン（乱数生成アルゴリズム）により、応募コードナンバーが作成される。
　【００３８】
　また、クラッカー（ハッカー）のパスワード検知プロセスは、たとえば図６（ｃ）に示すように、まず（１）把握がなされる。これは、まず店頭で商品を購入し、応募コードナンバーがどのように構成されているかを把握する。たとえば、０〜９までの数字とアルファベット２０文字でコードナンバーが構成されていることを把握する。
　【００３９】
　次に、（２）推測がなされる。これは、パスワード解析プログラム（パスワードクラッカー）を使い、偽造応募コードナンバーを無作為に生成することで行われる。
　【００４０】
　次に、（３）マッチングがなされる。これは、応募フォームに（２）で生成した偽造応募コードナンバーを連続して入力し、正規応募コードナンバーを突き止めるようにするものである。
　【００４１】
　次に、（４）検証がなされる。これは、入手した正規応募コードナンバーをもとに、コードナンバー生成ルーティン（乱数生成アルゴリズム）を突き止めるようにするものである。これにより、応募コードナンバーの偽造が行われる。
　【００４２】
　次に、上述したＷｅｂ上のクローズド懸賞を行うに当たっての懸念事項に対する対処法について説明する。
　【００４３】
　クラッカーは、自分が見当を付けている偽造コードナンバーを確かめるために、必ずインターネットを通して、図６（ｃ）のマッチング作業（（３）マッチング）を行わなければならないため、この点を利用する。
　【００４４】
　すなわち、図７に示すように、パスワードクラッカーによる偽造パスワード生成を行った後、応募フォームへ登録する。これらは、図６（ｃ）に対応している。このとき、「応募を受け付けました」と表示される。ここで、まず、Ａ．分／秒あたりの同一ＩＰからの投稿数（パケット数）が一定の値を越えないものを誘導する。
　【００４５】
　そして、応募コードナンバーデータベース２１において、入力されたコードナンバーを確かめるため、データベースとのマッチングを行う。また、応募集計データベース２２においては、問題がなければ集計用のデータベースに加える。
　【００４６】
　また、Ｂ．分／秒あたりの同一ＩＰからの投稿数が一定の値を越えたものを誘導する。
　【００４７】
　ここで、ＩＰとは、インターネット・プロトコル（Ｉｎｔｅｒｎｅｔ　Ｐｒｏｔｏｃｏｌ）の略であり、正確にはＩＰアドレスという。ＩＰアドレスとはネットに接続されたコンピューターを識別するために、個々のコンピューターに付けられた戸籍のようなものである（例．１９２．１６８．０．１）。
　【００４８】
　このように、同一ＩＰからの投稿数が一定の値を越えたものを誘導することで、パスワードクラッカーによる偽造パスワード生成を未然に防止することができる。
　【００４９】
　このように、第１の実施の形態では、購買証明をコードナンバー化して電子情報化することにより、ネットワーク（インターネット）上での応募抽選処理が可能となる。その結果として、応募データを電子情報化された上で応募を受付けるため、景品発送のための応募者データ入力作業やハガキ仕分け作業、応募ハガキの管理費などが発生せず、時間的、特にコスト面での効率化を図ることが可能である。何よりも従来のキャンペーンの運営方法では入手できなかった規模の個人情報が、追加負担なしに入手できる。
　【００５０】
　また、インターネット、通信端末１１（たとえばｉ−モード）経由の応募形態をとっているので、応募者のメール・アドレスの保有率が高いことが想定される。このことを利用し、こちら側からＯｎｅ−Ｗａｙの情報配信、もしくはある程度ターゲットを絞った上でＴｗｏ−Ｗａｙのコミュニケーションを図ることが可能となり、ＣＲＭ（カスタマー・リレーションシップ・マネージメント）への入口の役目を果たすことができる。
　【００５１】
　また、これまでのクローズド・キャンペーンでは、コストの制約から主に当選者データのみデータ入力・管理されていたが、このシステムを使用することにより、過去５回のキャンペーンに全て当選から外れている様な「キャンペーンもしくはブランドに対しロイヤリティが非常に高い消費者（落選者）」に対し、コミュニケーションを図ることが可能となり、従来のクローズド懸賞にはない広がりを持たせることが可能となる。
　【００５２】
　また、流通よりＰＯＳデータを入手しなくともある程度のキャンペーンの効果測定を行うことができ、ここで得たデータと流通のＰＯＳデータとを併用することで多角的な分析も可能となる。さらには、フリーアンサーのアンケートも集計可能となる。
　【００５３】
（第２の実施の形態）
　図８は、本発明のインターネット応募によるクローズド懸賞を行う方法の第２の実施の形態に係るクローズド懸賞システムの概要を説明するための図、図９は、図８のクローズド懸賞システムにおける各種データベースを説明するための図、図１０は、図８のクローズド懸賞システムにおけるインターネット応募によるクローズド懸賞を行う方法を説明するためのフローチャート、図１１は、図８のクローズド懸賞システムにおける応募条件〜応募受付までの作業フローを説明するための図である。なお、以下に説明する図において、図１と共通する部分には同一符号を付すものとする。
　【００５４】
　図８に示すクローズド懸賞システムは、上記同様に、応募者１０が通信端末１１を用いるとともに、インターネットを介して主催者２０が提供する応募に参加することができるようになっている。
　【００５５】
　すなわち、図８のクローズド懸賞システムにおいては、消費者に対してユーザーＩＤを発行し、応募状況をユーザーＩＤ毎に管理するようにしている。図１のクローズド懸賞システムにおいては、シークェンス（ＳＱ）ナンバーを振ることで応募者情報・応募状況を管理していたのに対し、図８のクローズド懸賞システムにおいては、ユーザーＩＤを発行することにより、このユーザーＩＤをもとに応募者情報と応募状況とを一元管理することができるようになっている。
　【００５６】
　主催者２０は、応募者１０からの応募を受付け、当選者に商品を発送したりするものであり、上述した応募コードナンバーデータベース２１、応募集計データベース２２、イレギュラー用データベース２３の他に、ユーザーＩＤ管理データベース２４、応募状況管理データベース２５を備えている。
　【００５７】
　ユーザーＩＤ管理データベース２４は、図９（ａ）に示すように、ユーザーＩＤをもとに登録された個人情報の管理を行うものである。データベースの内容としては、たとえばユーザーＩＤ、Ｅ−ｍａｉｌアドレス、郵便番号、住所、氏名、電話番号、年齢、生年月日、性別、職業となっている。
　【００５８】
　応募状況管理データベース２５は、ユーザーＩＤ毎に応募状況を管理するためのデータベースであり、図９（ｂ）に示すように、ユーザーＩＤ、応募口数を管理している。
　【００５９】
　次に、このような構成のクローズド懸賞システムにおけるインターネット応募によるクローズド懸賞を行う方法について説明する。
　【００６０】
　まず、図１０に示すように、応募者１０は、（１）商品購入を行う（ステップ１１０１）。このとき、商品についているスクラッチを削ると応募コードナンバーが出現する。次いで、応募者１０は、（２）ユーザー登録を行う（ステップ１１０２）。この場合、インターネットのホームページ上で、通信端末１１から、住所・氏名・電話番号・ｅ−ｍａｉｌアドレスなどの応募条件を登録することで、ユーザー登録が行われる。
　【００６１】
　そして、（３）ユーザーＩＤが発行される（ステップ１１０３）。すなわち、登録されたｅ−ｍａｉｌアドレスに対し、ユーザーＩＤとパスワードとが連絡される。
　【００６２】
　次に、（４）応募登録を行う（ステップ１１０４）。このとき、インターネットのホームページ上で、ＩＤナンバー毎に、ポイント（応募コードナンバー）を登録する。また、（５）電子メール配信により（ステップ１１０５）、キャンペーン締切間近に、「あと○ポイント、ガンバレ！」などのメール配信が定期的に行われ、インタラクティブ性がアピールされる。
　【００６３】
　そして、（６）集計が行われ（ステップ１１０６）、インターネット上の入力フォームに登録された情報をそのままサーバー上の応募集計データベース２２へ移していく。
　【００６４】
　また、主催者２０は、（７）重複処理〜抽出を行う（ステップ１１０７）。すなわち、応募集計データベース２２上で重複処理を行った後、コンピューター抽選作業で当選者を決定する。さらに、主催者２０は、（８）発送を行う（ステップ１１０８）。すなわち、（７）で抽出した当選者に対し、（２）で得た情報を配達伝票に出力し、発送を行う。
　【００６５】
　またここで、（ステップ１１０２〜１１０７）における応募条件入力〜応募受付までの作業フローを、図１１を用いて説明する。
　【００６６】
　まず、応募条件の入力として、ホームページ・通信端末１１上の応募入力フォーム上から応募条件であるコードナンバーと応募者プロフィールとを入力する。コードナンバーは、応募コードナンバーデータベース２１に登録されているものと照合され、コードナンバーの真正の検証が行われる。問題がなければ、入力されたコードナンバーのチェック欄に印を付ける。
　【００６７】
　また、ホームページ・通信端末１１上のユーザー情報登録フォーム上からユーザー登録を行いユーザーＩＤを手に入れる。そして、コードナンバーのマッチングで条件を満たしたユーザーＩＤは、応募したという実績とともに応募状況管理データベース２５にデータが蓄積（登録）される。
　【００６８】
　このように、第２の実施の形態では、第１の実施の効果に加え、消費者に対してユーザーＩＤを発行し、応募状況をユーザーＩＤ毎に管理するようにしたので、ユーザーＩＤをもとに応募者情報と応募状況を一元管理することができる。
　【００６９】
　なお、以上の各実施の形態では、Ｗｅｂ上の応募フォームから応募を募る場合について説明したが、ハガキ応募との併設をとるようにすることもできる。この場合は、次のような作業フローをとることができる。
　【００７０】
　すなわち、たとえば図１２に示すように、応募作業においては、商品購入を行った後、応募券の応募コードナンバーを集める。次いで、Ｗｅｂ上の応募フォームから応募に必要なコードナンバーを入力して応募する。また、応募に必要なポイントを集め、ハガキにて応募する。
　【００７１】
　インターネット応募受付においては、Ｗｅｂ応募による集計作業と重複処理と当選者抽出とを行う。ハガキ応募受付においては、集計作業と重複処理と当選者抽出とを行う。また、インターネット応募受付及びハガキ応募受付においては、日報／週報の提出を行う。そして、Ｗｅｂ応募とハガキ応募との重複作業を行った後、当選者を決定し、賞品発送を行う。
　【００７２】
　また、予備当選者の抽出を行う場合、インターネット応募とハガキ応募の総口数のシェアによって当選者を割り振り、その次に、ハガキ応募の中で口数シェアに基づき予備当選者抽出表を作成する。
　【００７３】
　そして、インターネットとハガキの重複作業においては、ハガキ応募に貼付されているコードナンバーの内３件を応募コードナンバーデータベース２１とのマッチングで行う。その際に３件とも重複した場合、ハガキを落選させ予備当選者の中から繰り上げ当選とする。
　【００７４】
　【発明の効果】
　以上の如く本発明に係る
インターネット応募によるクローズド懸賞を行う方法
【図面の簡単な説明】
　【図１】
　本発明のインターネット応募によるクローズド懸賞を行う方法の第１の実施の形態に係るクローズド懸賞システムの概要を説明するための図である。
　【図２】
　図１のクローズド懸賞システムにおける各種データベースを説明するための図である。
　【図３】
　図１のクローズド懸賞システムにおけるインターネット応募によるクローズド懸賞を行う方法を説明するためのフローチャートである。
　【図４】
　図１のクローズド懸賞システムにおける応募コードナンバーを説明するための図である。
　【図５】
　図１のクローズド懸賞システムにおける応募条件〜応募受付までの作業フローを説明するための図である。
　【図６】
　図１のクローズド懸賞システムにおけるＷｅｂ上のクローズド懸賞を行うに当たっての懸念事項について説明するための図である。
　【図７】
　図１のクローズド懸賞システムにおけるＷｅｂ上のクローズド懸賞を行うに当たっての懸念事項に対する対処法について説明するための図である。
　【図８】
　本発明のインターネット応募によるクローズド懸賞を行う方法の第２の実施の形態に係るクローズド懸賞システムの概要を説明するための図である。
　【図９】
　図８のクローズド懸賞システムにおける各種データベースを説明するための図である。
　【図１０】
　図８のクローズド懸賞システムにおけるインターネット応募によるクローズド懸賞を行う方法を説明するためのフローチャートである。
　【図１１】
　図８のクローズド懸賞システムにおける応募条件〜応募受付までの作業フローを説明するための図である。
　【図１２】
　図１又は図８のクローズド懸賞システムとハガキ応募との併設をとるようにした場合を説明するための図である。
　【符号の説明】
　１０　応募者
　１１　通信端末
　２０　主催者
　２１　応募コードナンバーデータベース
　２２　応募集計データベース
　２３　イレギュラー用データベース
　２４　ユーザーＩＤ管理データベース
　２５　応募状況管理データベース